(57)【要約】【課題】押圧ヘッドのどの部位に力を加えてもポンプを確実に作動させて内容物を排出することができるポンプ付き容器を提案する。【解決手段】上端開口１ａを有し、底板１ｂの縁部を取り囲んで起立する筒体１ｃとの協働にてその内側に内容物の充填空間を形成する容器本体１と、この容器本体１の上端開口１ａにおいて固定保持されるポンプ３と、このポンプ３の上部に位置する天面蓋４ａを有し、該天面蓋４ａの押し込み、復帰動作の繰り返しにてポンプ３を作動させて充填空間Ｍ内の内容物を該天面蓋４ａの中央開口部Ｈより排出する押圧ヘッド４と、を備えたポンプ付き容器において、容器本体１に、筒体１ｃの突端部に連係して上端開口１ａを密閉し、かつ、ポンプ３を押圧ヘッド４とともに任意の向きに傾倒自在に保持するベース６を設ける。【選択図】図１
2010274964.tif 000002
【特許請求の範囲】
【請求項１】
上端開口を有し、底板の縁部を取り囲んで起立する筒体との協働にてその内側に内容物の充填空間を形成する容器本体と、この容器本体の上端開口において固定保持されるポンプと、このポンプの上部に位置する天面蓋を有し、該天面蓋の押し込み、復帰動作の繰り返しにてポンプを作動させて充填空間内の内容物を該天面蓋の中央開孔より排出する押圧ヘッドとを備えたポンプ付き容器であって、
前記容器本体に、筒体の突端部に連係して上端開口を密閉し、かつ、ポンプを押圧ヘッドとともに任意の向きに傾倒自在に保持するベースを設けたことを特徴とするポンプ付き容器。
【請求項２】
前記ベースは、ポンプをその吸引口を残して内挿するホルダーを有し、該ホルダーに、局所的な撓みを誘発させてポンプを押圧ヘッドとともに傾倒させる薄肉帯状体を設けた、請求項１記載のポンプ付き容器。
【請求項３】
前記ベースは、ポンプをその吸引口を残して内挿するホルダーを有し、該ホルダーに、局所的な撓みを誘発させて該ホルダーにてポンプを押圧ヘッドとともにさせる軟質帯状体を設けた、請求項１記載のポンプ付き容器。
【発明の詳細な説明】
【技術分野】
【０００１】
本発明は、内容物の充填容量が減るにしたがい中皿が上昇するポンプ付き容器に関するものであり、とくに、ポンプを作動させる押圧ヘッドの傾きに起因した作動不良を回避して内容物の確実な注出を実現しようとするものである。
【背景技術】
【０００２】
化粧料や整髪料、シャンプーあるいはリンス等を入れる容器としては、ハンディータイプや据え置きタイプに関わらずポンプを装着したものが多数上市されており、これにより容器内の内容物を衛生的、かつ効率的に注出することができるようになっている。
【０００３】
従来のポンプ付き容器としては、ポンプの吸引口を容器の口部の直下に位置せしめ、内容物が取り出されるにしたがい袋状の収納室を縮小変形させるようにした容器や、内容物の充填空間内に中皿を配置して内容物の充填量が減少するにしたがい該中皿をポンプの吸引口へ向けてスライドさせる容器等が適用されている（例えば、特許文献１参照）ところ、この種の容器にあっては、押圧ヘッドの押し方に偏りがあると、該押圧ヘッドにつながるステムが傾き、ポンプを作動させるのが困難となり（ポンプピストンの軸芯とステムの軸芯がずれてしまう。）、内容物の安定した注出が行うことができないこともあって未だ改善の余地が残されていた。
【先行技術文献】
【特許文献】
【０００４】
【特許文献１】実公平７−５４１２５号公報
【発明の概要】
【発明が解決しようとする課題】
【０００５】
本発明の課題は、押圧ヘッドのどの部位に力を加えてもポンプを確実に作動させることができるポンプ付き容器を提案するところにある。
【課題を解決するための手段】
【０００６】
本発明は、上端開口を有し、底板の縁部を取り囲んで起立する筒体との協働にてその内側に内容物の充填空間を形成する容器本体と、この容器本体の上端開口において固定保持されるポンプと、このポンプの上部に位置する天面蓋を有し、該天面蓋の押し込み、復帰動作の繰り返しにてポンプを作動させて充填空間内の内容物を該天面蓋の中央開孔より排出する押圧ヘッドと、を備えたポンプ付き容器であって、
前記容器本体に、筒体の突端部に連係して上端開口を密閉し、かつ、ポンプを押圧ヘッドとともに任意の向きに傾倒自在に保持するベースを設けたことを特徴とするポンプ付き容器である。
【０００７】
上記の構成になるポンプ付き容器において、ベースとしては、ポンプをその吸引口を残して内挿するホルダーを備えたものとし、このホルダーに、局所的な撓みを誘発させてポンプを押圧ヘッドとともに傾倒させる薄肉帯状体を設けることができる。
【０００８】
また、ベースとしては上記のような構成の他に、ホルダーに、局所的な撓みを誘発させてポンプを押圧ヘッドとともにさせる軟質帯状体を設けたものを適用してもよい。
【発明の効果】
【０００９】
ポンプそのものを傾倒自在にベースに配置したため、押圧ヘッドに偏った力が加わってもその力に応じてポンプが押圧ヘッドとともに傾倒することになりポンプピストンの軸芯と、このピストンを押圧する中空ステムとの軸芯を常に一致させた状態に保持しておくことが可能となり、ポンプが作動不良を起こすことはない。
【００１０】
押圧ヘッドのどの部位を押してもポンプを作動させることができることになるため、使い勝手の改善を図ることができる。
【図面の簡単な説明】
【００１１】
【図１】本発明にしたがうポンプ付き容器の実施の形態を断面で示した図である。
【図２】図１に示したポンプ付き容器の使用状態を示した図である。
【発明を実施するための形態】
【００１２】
以下、図面を参照して本発明をより具体的に説明する。
図１は、本発明にしたがうポンプ付き容器の側面（断面表示）を示した図であり、図における１は、容器本体である。この容器本体１は、上端開口１ａを有し、底板１ｂの縁部を取り囲んで起立する筒体１ｃ（底板１ｂとは一体成形されている。）との協働にてその内側に内容物の充填空間Ｍを形成している。
【００１３】
また、２は、容器本体１の底板１ｂに設けられた外気導入孔、３は、容器本体１内の内容物を排出するポンプである。
【００１４】
ポンプ３は、底部に内容物の吸引口ｈを有する筒状のシリンダ３ａと、このシリンダ３ａ内にスライド可能に配置されるピストン３ｂと、このピストン３ｂの貫通孔に挿通されその他端（上端）を後述する押圧ヘッドの筒体に連結する中空ステム３ｃと、シリンダ３ａの上部開口端のフランジ部に固定保持され、ピストン３ｂのシリンダ３ａからの抜け出しを防止する抜け止めリング３ｄと、シリンダ３ａ内で吸引口ｈに配置され、内容物の吸引時にのみ開放する弁体（三点弁等）３ｅから構成されている。
【００１５】
４は、ポンプ３を作動させる押圧ヘッドである。この押圧ヘッド４は、ポンプ３の上部に位置する容器本体１の上端開口１ａよりもやや小さい径を有するディスク状の天面蓋４ａと、この天面蓋４ａの下面に一体的に設けられ、ポンプ３の中空ステム３ｃの上端において連結する筒体４ｂと、天面蓋４ａを弾性支持するスプリング４ｃとから構成され、天面蓋４ａの外縁部には、その部位から垂下される周壁４ａ１が設けられている。
【００１６】
押圧ヘッド４の天面蓋４ａには、中央開口部４ａ２が設けられており、中空ステム３ｃの開孔３ｃ１と、その内部通路３ｃ２を通して該中央開孔４ａ２より内容物を排出することができるようになっている。ここに、中空ステム３ｃの先端部に設けられた環状体ｔと、筒体４ｂの先端との相互間に形成される空間内にピストン３ｂが配置されており、ピストン３ｂは、この空間内で、極わずかに、単独でスライドできるようになっており、押圧ヘッド４による押し込み時（内容物の排出時）には、筒体４ｂの先端がピストン３ｂの後端（上端）に当接して該ピストン３ｂをシリンダ３ａの吸引口ｈに向けてスライドさせる一方、押圧ヘッド４が初期状態に復元する際（内容物の吸引時）には、中空ステム３ｃの先端部に設けられた環状体ｔがピストン３ｂの先端（下端）に当接して該ピストン３ｂをシリンダ３ａの上方へ向けてスライドさせる。
【００１７】
５は、容器本体１の充填空間Ｍに配され、内容物の充填容量の減少にしたがって上端開口１ａに向けてスライドする中皿である。この中皿５は、その外縁部に容器本体１の筒体１ｃの内周壁に当接する摺動部材５ａが配置されている。
【００１８】
さらに、６は、ポンプ３を、押圧ヘッド４とともに固定保持するベースである。このベース６は、容器本体１の上端開口１ａを覆い隠す大表面積を有する底壁６ａと、この底壁６ａの縁部に一体連結する周壁６ｂと、底壁６ａの中央開口部Ｈを塞ぐように配置されたホルダー６ｃからなる。周壁６ｂの外周面には、該周壁６ｂとの相互間で下向きに開放された溝部を形成する係止環６ｄが設けられており、アンダーカットの如き係合手段によって筒体１ｃの突端に嵌合させることでベース６を容器本体１の上端開口１ａに固定している。
【００１９】
ホルダー６ｃは、ポンプ３の吸引口ｈを残してポンプ３そのものを引抜け不能に内挿する筒体６ｃ１と、この筒体６ｃ１の下端に一体連結して該筒体６ｃ１を取り囲むように配される薄肉帯状体６ｃ２と、この薄肉帯状体（あるいは円板状の薄肉体）６ｃ２の外縁部に一体連結して底壁６ａの中央開口部Ｈの周りに設けられた筒体６ｄに嵌合する溝付きの係止環６ｃ３から構成されている。
【００２０】
７は、ベース６の周壁６ｂの上端部に連係して押圧ヘッド４を覆い隠すカバーキャップ、８はホルダー６ｃの係止環６ｃ３の上端に設けられ、スプリング４ｃの下端の内側に位置して該スプリング４ｃの位置決めを行うガイド（筒体）、９は、天面蓋４ａの下面に設けられ、スプリング４ｃの上端の内側に位置して該スプリング４ｃの位置決め行うガイド（筒体）である。
【００２１】
上記の構成になるポンプ付きの容器にあっては、押圧ヘッド４の天面蓋４ａに押し込み力を付与すると、天面蓋４ａは、スプリング４ｃの付勢力に抗して押し下げられ、ピストン３ｂは、筒体４ｂに押圧されてシリンダ３ａの底部へ向けてスライドする。
【００２２】
ピストン３ｂが、シリンダ３ａの最下端（下死点）にスライドしたのちにおいて、押圧ヘッド４に加えた押し込み力を取り除くと、スプリング４ｃの付勢力により押圧ヘッド４は初期状態へと復帰し、この時、ピストン３ｂは中空ステム３ｃとともにシリンダ３ａの上部へ向けてスライドする。
【００２３】
ピストン３ｂがシリンダ３ａの上部へ向かうスライドにおいては、シリンダ３ａ内が負圧になることから、弁体３ｅが開放され、吸引口ｈを通して容器内の内容物がシリンダ３ａ内へ吸引される。
【００２４】
押圧ヘッド４が初期状態へ復帰（上死点）したのち、再度、天面蓋４ａに押し込み力を付与すると、シリンダ３ａ内は加圧され、その中に存在する内容物は、中空ステム３ｃの開孔３ｃ１、その内部通路３ｃ２、押圧ヘッド４の筒体４ｂの内部通路を経て、天面蓋４ａの中央開孔４ａ１より排出され、このような動作の繰り返し、すなわち、押圧ヘッド４の天面蓋４ａの押し込み、復帰動作を繰り返すことにより内容物の連続的な排出が可能となり、内容物がポンプ３によって吸引されると、容器本体１内の充填空間Ｍは負圧になり、内容物が減るにしたがい中皿５が容器本体１の上端開口１ａに向けて上昇する。
【００２５】
本発明にしたがうポンプ付きの容器にあっては、例えば、押圧ヘッド４の天面壁４ａに、図２に示すような押し込み力が加えられても、ポンプ３がその押し込み力に追随して傾動するため、天面蓋４ａのどの部位に押し込み力を加えてもポンプを確実に作動させる可能であり（ピストン３ｂの軸芯と中空ステム３ｃの軸芯は常に一定している。）、内容物の安定した注出が行える。
【００２６】
本発明にしたがうポンプ付き容器は、スプリング４ｃを除いては基本的に合成樹脂で構成される。ホルダー６ｃについては、ベース６の底壁６ａと別物として図示したが、該ホルダー６ｃは、ベース６の底壁６ａと一体に成形してもよく、この点については、限定されない。
【００２７】
また、ポンプ３の容易な傾動を導くために、ホルダー６ｃには、筒体６ｃ１と係止環６ｃ３とをつなぐ部位を薄肉化して撓み易くした薄肉帯状体６ｃ１を設けた場合を例として示したが、この部位には、筒体６ｃ１や係止環６ｃ３と同程度の厚さを有し、インサート成形等により一体化を図った軟質帯状体（エラストマーやゴム等）を適用することもでき、これによってもポンプ３の容易な傾倒が可能となる。
【００２８】
本発明の実施の形態では、容器本体１の充填空間Ｍに中皿５を配置して、内容物の充填容量が減少するにしたがって該中皿５を上方へ向けてスライドさせる構造のものとして示したが、ポンプ３のシリンダ３ａに吸引口ｈを取り囲む筒体を設け、この筒体に容器の底部に向けて伸延する吸引管を連結して該吸引管で内容物を吸引する構造のものを適用することも可能であり、この場合には、中皿５の設置は不要となる。
【産業上の利用可能性】
【００２９】
押圧ヘッドのどの部位に力を加えてもポンプを作動させて内容物を確実に排出可能なポンプ付き容器が提供できる。
【符号の説明】
【００３０】
１      容器本体
１ａ    上端開口
１ｂ    底板
１ｃ    筒体
２      外気導入孔
３      ポンプ
３ａ    シリンダ
３ｂ    ピストン
３ｃ    中空ステム
３ｄ    抜け止めリング
３ｅ    弁体
４      押圧ヘッド
４ａ    天面蓋
４ｂ    筒体
４ｃ    スプリング
５      中皿
５ａ    摺動部材
６      ベース
６ａ    底壁
６ｂ    周壁
６ｃ    ホルダー
６ｃ１  筒体
６ｃ２  薄肉帯状体
６ｃ３  係止環
６ｄ    筒体
７      カバーキャップ
８      ガイド
９      ガイド
Ｍ      充填空間
ｈ      吸引口
Ｈ      中央開口部
【図１】
2010274964.tif 000003
【図２】
2010274964.tif 000004